(57)【特許請求の範囲】
【請求項１】
子珊瑚を移植して海中に保持することにより、前記子珊瑚を育成する珊瑚育成部と、
前記珊瑚育成部の少なくとも前記子珊瑚が移植される部分の周辺に設けられる被覆層と、
を含み、前記被覆層は、前記珊瑚育成部に着脱可能に取り付けられる板状の被覆部材であり、前記珊瑚育成部には、前記子珊瑚を移植するための移植孔が設けられるとともに、前記被覆部材は、少なくとも２の部材に分割されるとともに、前記移植孔上に前記被覆部材の分割部が位置することを特徴とする珊瑚育成用構造物。
【請求項２】
前記被覆部材は、金属又はガラスであることを特徴とする請求項１に記載の珊瑚育成用構造物。
【請求項３】
前記珊瑚育成部の少なくとも前記子珊瑚が移植される部分の周辺に水を流す、水流生成手段を備えることを特徴とする請求項１又は２に記載の珊瑚育成用構造物。
【請求項４】
海面に向かって張り出す揺れ抑制手段を備えることを特徴とする請求項１〜３のいずれか１項に記載の珊瑚育成用構造物。
【請求項５】
前記珊瑚育成部の近傍に海水の水流を発生させる水流発生手段を備えることを特徴とする請求項１〜４のいずれか１項に記載の珊瑚育成用構造物。
【請求項６】
請求項１〜５のいずれか１項に記載の珊瑚育成用構造物の底部には、海水が流通する通水路が設けられることを特徴とする珊瑚育成用構造物。
【発明の詳細な説明】
【技術分野】
【０００１】
本発明は、珊瑚の養殖に関するものである。
【背景技術】
【０００２】
近年、埋め立てや地球の温暖化に起因する海水温度の上昇等によって、珊瑚群集の白化や珊瑚の死滅といった珊瑚礁の衰退が問題となっている。このため、近年においては、珊瑚を人工的に養殖して、珊瑚礁を回復させる試みが提案されている。特許文献１には、海中の任意の深さに位置できる複数の浮体間に、珊瑚の付着する珊瑚養生棚を備える珊瑚養殖装置が提案されている。
【０００３】
【特許文献１】特開１１−３２６２０号公報
【発明の開示】
【発明が解決しようとする課題】
【０００４】
しかし、特許文献１に開示されている珊瑚養殖装置では、珊瑚養生棚に藻類や貝類が付着して成長し、珊瑚養生棚に付着した珊瑚の光合成を阻害し、成育を妨げるという問題があった。
【０００５】
そこで、この発明は、上記に鑑みてなされたものであって、珊瑚の成育を妨げる生物の付着を抑制できる珊瑚育成用構造物を提供することを目的とする。
【課題を解決するための手段】
【０００６】
上述した課題を解決し、目的を達成するために、本発明に係る珊瑚育成用構造物は、子珊瑚を移植して海中に保持することにより、前記子珊瑚を育成する珊瑚育成部と、前記珊瑚育成部の少なくとも前記子珊瑚が移植される部分の周辺に設けられる被覆層と、を含むことを特徴とする。
【０００７】
この珊瑚育成用構造物は、珊瑚育成部の少なくとも前記子珊瑚が移植される部分の周辺に被覆層を設ける。これによって、珊瑚の成育を妨げる生物の付着を抑制できる。
【０００８】
次の本発明に係る珊瑚育成用構造物は、前記珊瑚育成用構造物において、前記被覆層は、フッ素樹脂で構成されることを特徴とする。
【０００９】
この珊瑚育成用構造物は、前記珊瑚育成用構造物の構成を備えるので、前記珊瑚育成用構造物と同様の作用、効果を奏する。さらにこの珊瑚育成用構造物は、被覆層をフッ素樹脂で構成する。これによって、子珊瑚の成育を妨げる生物の付着をより効果的に抑制できる。
【００１０】
次の本発明に係る珊瑚育成用構造物は、前記珊瑚育成用構造物において、前記被覆層は、前記珊瑚育成部に取り付けられる板状の被覆部材であることを特徴とする。
【００１１】
この珊瑚育成用構造物は、前記珊瑚育成用構造物の構成を備えるので、前記珊瑚育成用構造物と同様の作用、効果を奏する。さらにこの珊瑚育成用構造物は、珊瑚育成部に取り付けられる板状の被覆部材で被覆層を構成する。これによって、珊瑚育成部に樹脂系の材料を塗布しにくい場合でも、板状の被覆部材を取り付けることによって、容易に子珊瑚の成育を妨げる生物の付着を抑制できる。
【００１２】
次の本発明に係る珊瑚育成用構造物は、前記珊瑚育成用構造物において、前記被覆部材は、前記珊瑚育成部に着脱可能であることを特徴とする。
【００１３】
この珊瑚育成用構造物は、前記珊瑚育成用構造物の構成を備えるので、前記珊瑚育成用構造物と同様の作用、効果を奏する。さらにこの珊瑚育成用構造物は、被覆部材を着脱可能とする。これによって、子珊瑚が十分に成育した後は、被覆部材を珊瑚育成用構造物から取り外して再利用できるので、経済的である。
【００１４】
次の本発明に係る珊瑚育成用構造物は、前記珊瑚育成用構造物において、前記珊瑚育成部には、前記子珊瑚を移植するための移植孔が設けられており、前記被覆部材は、少なくとも２の部材に分割されるとともに、前記移植孔上に前記被覆部材の分割部が位置することを特徴とする。
【００１５】
この珊瑚育成用構造物は、前記珊瑚育成用構造物の構成を備えるので、前記珊瑚育成用構造物と同様の作用、効果を奏する。さらにこの珊瑚育成用構造物は、移植孔上に被覆部材の分割部が位置するようにしてあるため、被覆部材を容易に取り外すことができる。
【００１６】
次の本発明に係る珊瑚育成用構造物は、前記珊瑚育成用構造物において、前記被覆部材は、金属又はガラスであることを特徴とする。
【００１７】
この珊瑚育成用構造物は、前記珊瑚育成用構造物の構成を備えるので、前記珊瑚育成用構造物と同様の作用、効果を奏する。さらにこの珊瑚育成用構造物は、被覆部材を金属又はガラスとする。これによって、子珊瑚の成育を妨げる生物の付着をより効果的に抑制できる。
【００１８】
次の本発明に係る珊瑚育成用構造物は、前記珊瑚育成用構造物において、前記珊瑚育成部の少なくとも前記子珊瑚が移植される部分の周辺に水を流す、水流生成手段を備えることを特徴とする。
【００１９】
この珊瑚育成用構造物は、前記珊瑚育成用構造物の構成を備えるので、前記珊瑚育成用構造物と同様の作用、効果を奏する。さらにこの珊瑚育成用構造物は、子珊瑚が移植される部分の周辺に水を流す水流生成手段を備える。これによって、子珊瑚の成育を妨げる生物の定着をより確実に抑制できる。
【００２０】
次の本発明に係る珊瑚育成用構造物は、前記珊瑚育成用構造物において、海面に向かって張り出す揺れ抑制手段を備えることを特徴とする。
【００２１】
この珊瑚育成用構造物は、前記珊瑚育成用構造物の構成を備えるので、前記珊瑚育成用構造物と同様の作用、効果を奏する。さらにこの珊瑚育成用構造物は、海面に向かって張り出す揺れ抑制手段を備える。これによって、珊瑚育成用構造物に移植された子珊瑚の動揺を低減できるので、子珊瑚の脱落等を抑制できる。
【００２２】
次の本発明に係る珊瑚育成用構造物は、前記珊瑚育成用構造物において、前記珊瑚育成部の近傍に海水の水流を発生させる水流発生手段を備えることを特徴とする。
【００２３】
この珊瑚育成用構造物は、前記珊瑚育成用構造物の構成を備えるので、前記珊瑚育成用構造物と同様の作用、効果を奏する。さらにこの珊瑚育成用構造物は、珊瑚育成用構造物の近傍に海水の水流を発生させる水流発生手段を備える。これによって、子珊瑚が移植される珊瑚育成用構造物の周辺には常に新鮮な海水が存在するようになるので、子珊瑚の成育悪化を抑制することができる。
【００２４】
次の本発明に係る珊瑚育成用構造物は、前記珊瑚育成用構造物において、前記珊瑚育成用構造物の底部には、海水が流通する通水路が設けられることを特徴とする。
【００２５】
の珊瑚育成用構造物は、前記珊瑚育成用構造物の構成を備えるので、前記珊瑚育成用構造物と同様の作用、効果を奏する。さらにこの珊瑚育成用構造物は、海水が流通する通水路を、珊瑚育成用構造物の底部に備える。これによって、子珊瑚が移植される珊瑚育成用構造物の周辺には常に新鮮な海水が存在するようになるので、子珊瑚の成育悪化を抑制することができる。
【発明の効果】
【００２６】
この発明に係る珊瑚育成用構造物は、珊瑚の成育を妨げる生物の付着を抑制できる。
【発明を実施するための最良の形態】
【００２７】
以下、この発明につき図面を参照しつつ詳細に説明する。なお、この発明を実施するための最良の形態（以下実施形態という）によりこの発明が限定されるものではない。また、下記実施形態における構成要素には、当業者が容易に想定できるもの、あるいは実質的に同一のものが含まれる。
【００２８】
この実施形態は、子珊瑚を移植して海中に保持することにより子珊瑚を育成する珊瑚育成部を備え、この珊瑚育成部の少なくとも子珊瑚が移植される部分の周辺に、珊瑚の成育を阻害する生物の付着を抑制するための被覆層を設ける点に特徴がある。
【００２９】
図１は、この実施形態に係る珊瑚育成用構造物の構造を示す断面図である。コンクリートで構成された浮桟橋や防波堤等の沿岸構造物の表面には、珊瑚や海草、貝類等が付着して繁殖することが知られている。特に珊瑚の成育にとっては、水深が比較的浅く、太陽光がよく差し込む海域が適していることが分かっている。そこで、この実施形態においては、コンクリートが海水と接する部分に打設された浮力体に珊瑚を養殖する部分を設けて、珊瑚を養殖する。
【００３０】
この珊瑚育成用構造物１は、浮力を発生して海上に浮かぶ浮力体である。なお、珊瑚育成用構造物１は、浮力体に限られるものではない。珊瑚育成用構造物１は、鋼板１ＳＰをリブ１ＳＲで補強して基本骨格を構成し、その外面に複数のジベル１ＳＥ、鉄筋１ＳＣを配置した後、コンクリートを打設してコンクリート層２を形成して、浮力体として構成される。珊瑚育成用構造物１は、珊瑚の養殖用に用意して岸壁や海底に係留してもよいが、例えば、珊瑚育成用構造物１を浮桟橋等として用いてもよい。あるいは、浮桟橋等を利用して、海水と接する側面に珊瑚を養殖する部分を設けてもよい。
【００３１】
ここで、珊瑚育成用構造物１を移動可能な浮力体として構成すると、海水温度が異常に上昇した場合には、浮体構造物ごと成育中の子珊瑚を適正な水温の海域に移動させることができる。また、台風等による暴風時には、浮体構造物ごと生育中の子珊瑚を港内に移動できるので、生育中における子珊瑚の破損等を最小限に抑えることができる。
【００３２】
図２−１〜図２−３は、珊瑚の移植及び養殖の手順を示す説明図である。図２−１に示すように、親珊瑚から分割した珊瑚（以下子珊瑚）ｓを、例えば支持棒（アクリル製が好ましい）４０に取り付けて成育させる。このようにして成育した子珊瑚ｃを、海中に置かれる被移植体（この実施形態では、珊瑚育成用構造物１のコンクリート層２、図１参照）に開口した移植孔４３ｆに、支持棒４０を介して移植する（図２−２）。そして、海中で所定期間成育させることにより、子珊瑚ｃは親珊瑚Ｃに成長する（図２−３）。
【００３３】
図３−１、図３−２は、この実施形態に係る珊瑚育成用構造物に設けた珊瑚の養殖部における珊瑚の成育状況を示す説明図である。図３−１に示すように、珊瑚育成用構造物１のコンクリート層２（例えば、浮桟橋の側壁等）には、移植孔４３ｆが所定の間隔で開口している。これによって、珊瑚を成育させる部分（珊瑚育成部）８を形成する。この移植孔４３ｆに、図２−１で示した子珊瑚ｃを、支持棒４０を介して移植する（図３−１）。そして、養殖に適した海域の海中で、前記子珊瑚ｃを所定の期間成育させることによって、図３−２に示すように、子珊瑚ｃは親珊瑚Ｃに成長する。
【００３４】
コンクリート層２には、珊瑚も付着しやすいが、藻類や貝類も付着しやすい。藻類や貝類が珊瑚育成部８に付着した場合、藻類が子珊瑚ｃの周りに生い茂ったり、貝類が子珊瑚ｃの周囲に密集したりして子珊瑚ｃの光合成を阻害し、子珊瑚ｃの成育を妨げる。このため、子珊瑚ｃが親珊瑚Ｃに成長するまでの間、珊瑚以外の藻類や貝類が珊瑚育成部８に極力付着しないようにする必要がある。
【００３５】
そこで、この実施形態に係る珊瑚育成用構造物１では、珊瑚育成部８の少なくとも移植孔４３ｆの周辺に、硬質かつ表面が滑らかな被覆層を設ける。これによって、子珊瑚ｃの周囲に藻類や貝類が付着することを抑制できるので、子珊瑚ｃの成育が妨げられるおそれを低減できる。
【００３６】
図４は、この実施形態に係る珊瑚育成用構造物を示す説明図である。図５は、この実施形態に係る珊瑚育成用構造物の珊瑚育成部における被覆構造を示す断面図である。上述したように、この実施形態に係る珊瑚育成用構造物１は、珊瑚育成部８の少なくとも移植孔４３ｆの周辺に、被覆層３を設ける。被覆層３は、例えば、フッ素樹脂やウレタン系の樹脂を用いることができる。特にフッ素樹脂は、硬度が高く、また撥水性も高く、さらに表面が滑らかである。このため、藻類や貝類が付着しにくくなって、子珊瑚ｃの成育を妨げる生物の付着が効果的に抑制でき、好ましい。フッ素樹脂やウレタン系の樹脂は、例えば、塗料として珊瑚育成部８に塗布する。
【００３７】
被覆層３の厚さｔは、子珊瑚ｃの成育を妨げる生物の付着を抑制できる範囲で、できる限り小さくすることが好ましい。これによって、被覆層３を形成するためのフッ素樹脂等の使用量を低減できる。なお、子珊瑚ｃが親珊瑚Ｃに成長するまでの期間、子珊瑚ｃの成育を妨げる生物の付着を抑制できればよい。したがって、前記期間、珊瑚育成部８に被覆層３が存在していればよいので、かかる観点から被覆層３の厚さｔを決定してもよい。また、被覆層３を形成するフッ素樹脂等は、時間の経過とともに消耗するため、子珊瑚ｃが親珊瑚Ｃに成長するまでの期間前後に被覆層３がなくなるように、被覆層３の厚さｔを決定してもよい。
【００３８】
また、この実施形態に係る珊瑚育成用構造物１のように、珊瑚育成部８の少なくとも移植孔４３ｆの周辺に水を流す、水流生成手段９を設けてもよい。水流生成手段９によって、定期的に珊瑚育成部８の移植孔４３ｆの周辺に水を流すことで、珊瑚育成部８に付着した子珊瑚ｃの成育を妨げる生物が珊瑚育成部８に定着する前に、これを流し落とすことができる。これによって、珊瑚育成部８に対して、子珊瑚ｃの成育を妨げる生物の定着を抑制できるので、子珊瑚ｃの成育が妨げられるおそれをより効果的に低減できる。次に、珊瑚育成部８に被覆層３を形成する手順を説明する。
【００３９】
図６−１は、珊瑚育成部に被覆層を形成する手順を示す説明図である。図６−２は、珊瑚育成部に被覆層を形成する手順を示すフローチャートである。ここでは、フッ素樹脂塗料を塗布して被覆層３を形成する場合を説明する。まず、珊瑚育成部８の少なくとも移植孔４３ｆの周辺に下地処理をする（ステップＳ１０１）。これは、フッ素樹脂塗料をコンクリートの珊瑚育成部８に直接塗布することは困難であるためである。
【００４０】
下地処理は、例えば、エポキシ樹脂の塗料等を塗布することにより、珊瑚育成部８の表面に下地層６を形成する。下地層６を形成したら、下地層６の表面にフッ素樹脂塗料を塗布して、被覆層３を形成する（ステップＳ１０２）。これによって、珊瑚育成部８の少なくとも移植孔４３ｆの周辺に被覆層３を形成することができる。
【００４１】
図７−１、図７−２は、この実施形態の変形例に係る珊瑚育成部の被覆層を示す説明図である。この変形例は、珊瑚育成部８の少なくとも移植孔４３ｆの周辺に、板状の被覆部材を取り付けて被覆層を形成する点に特徴がある。この変形例においては、図７−１、図７−２に示すように、珊瑚育成部８の少なくとも移植孔４３ｆの周辺に、被覆部材である金属板４を取り付ける。
【００４２】
金属板４は、第１金属板４ａと第２金属板４ｂとに分割されており、移植孔４３ｆ上に金属板４の分割部が位置するように、珊瑚育成部８に取り付けられる。また、第１及び第２金属板４ａ、４ｂは、締結手段であるボルト５によって、珊瑚育成部８へ着脱可能に取り付けられる。これによって、子珊瑚ｃが成長して親珊瑚Ｃになった場合には、金属板４を珊瑚育成部８から取り外して、他の珊瑚育成用構造物１に適用することができる。また、移植孔４３ｆ上に金属板４の分割部が位置するようにしてあるため、金属板４の取り外しが容易になる。
【００４３】
被覆部材は海水に接しているため、被覆部材を金属材料で構成する場合は、例えば、チタン（Ｔｉ）やチタン化合物、ステンレス等といった、耐食性に優れた材料を用いることが好ましい。チタン及びチタン化合物を用いると、子珊瑚ｃの成育を妨げる生物の付着を効果的に抑制できるので好ましい。被覆部材に金属材料を用いる場合、海水と接触する面を、鏡面加工することが好ましい。このようにすれば、子珊瑚ｃの成育を妨げる生物の付着をより効果的に抑制できる。また、被覆部材をガラスで構成してもよい。このようにしても、子珊瑚ｃの成育を妨げる生物の付着を効果的に抑制できる。なお、被覆部材を接着して珊瑚育成部８に取り付けてもよい。次に、この実施形態の変形例に係る珊瑚育成用構造物１の変形例を説明する。
【００４４】
図８〜図１１は、この実施形態の変形例に係る珊瑚育成用構造物の変形例を示す説明図である。図８に示す珊瑚育成用構造物１ａは、珊瑚育成用構造物１ａから海面Ｓに向かって、揺れ抑制手段であるフィン２５を張り出させる。これによって、珊瑚育成用構造物１ａの近くを航行する船舶の引き波等による珊瑚育成用構造物１ａの動揺を抑制できる。その結果、珊瑚育成用構造物１ａに取り付けられる子珊瑚ｃの動揺を低減できるので、子珊瑚ｃの脱落等を抑制できる。
【００４５】
図９に示す珊瑚育成用構造物１ｂは、珊瑚育成用構造物１ｂに水流発生手段２６を備える。珊瑚育成用構造物１ｂの周辺、特に複数の珊瑚育成用構造物１ｂで囲まれた内側は、海水が滞りやすく、子珊瑚ｃの成育に影響を与えるおそれがある。この珊瑚育成用構造物１ｂでは、珊瑚育成用構造物１ｂに水流発生手段２６を備えることにより、珊瑚育成用構造物１ｂの周辺における海水の交換が促進されて、珊瑚育成用構造物１ｂの周辺には常に新鮮な海水が存在するようになる。これによって、子珊瑚ｃの成育悪化を抑制することができる。
【００４６】
図１０、図１１に示す珊瑚育成用構造物１ｃは、珊瑚育成用構造物１ｃに通水路２７を備える。上述したように、珊瑚育成用構造物１ｃの周辺、特に複数の珊瑚育成用構造物１ｃで囲まれた内側は、海水が滞りやすく、子珊瑚ｃの成育に影響を与えるおそれがある。この珊瑚育成用構造物１ｃは、珊瑚育成用構造物１ｃの底部（すなわち重力の作用方向側）に通水路２７を備えることにより、図１１の矢印方向への海水の動きが生じ、珊瑚育成用構造物１ｃで囲まれた内側の領域と外側の領域とで海水の交換が促進される。これによって、珊瑚育成用構造物１ｃの周辺には常に新鮮な海水が存在するようになるので、子珊瑚ｃの成育悪化を抑制することができる。
【００４７】
以上、この実施形態及びその変形例に係る珊瑚育成用構造物は、珊瑚育成部の少なくとも前記子珊瑚が移植される部分の周辺に被覆層を設ける。これによって、珊瑚の成育を妨げる生物の付着を抑制できる。なお、この実施形態及びその変形例と同様の作用、効果を奏する。
【産業上の利用可能性】
【００４８】
以上のように、本発明に係る珊瑚育成用構造物は、珊瑚の養殖に有用であり、特に、珊瑚の成育を妨げる生物の付着を抑制することに適している。
【図面の簡単な説明】
【００４９】
【図１】この実施形態に係る珊瑚育成用構造物の構造を示す断面図である。
【図２−１】珊瑚の移植及び養殖の手順を示す説明図である。
【図２−２】珊瑚の移植及び養殖の手順を示す説明図である。
【図２−３】珊瑚の移植及び養殖の手順を示す説明図である。
【図３−１】この実施形態に係る珊瑚育成用構造物に設けた珊瑚の養殖部における珊瑚の成育状況を示す説明図である。
【図３−２】この実施形態に係る珊瑚育成用構造物に設けた珊瑚の養殖部における珊瑚の成育状況を示す説明図である。
【図４】この実施形態に係る珊瑚育成用構造物を示す説明図である。
【図５】この実施形態に係る珊瑚育成用構造物の珊瑚育成部における被覆構造を示す断面図である。
【図６−１】珊瑚育成部に被覆層を形成する手順を示す説明図である。
【図６−２】珊瑚育成部に被覆層を形成する手順を示すフローチャートである。
【図７−１】この実施形態の変形例に係る珊瑚育成部の被覆層を示す説明図である。
【図７−２】この実施形態の変形例に係る珊瑚育成部の被覆層を示す説明図である。
【図８】この実施形態２の変形例に係る珊瑚育成用構造物の変形例を示す説明図である。
【図９】この実施形態２の変形例に係る珊瑚育成用構造物の変形例を示す説明図である。
【図１０】この実施形態２の変形例に係る珊瑚育成用構造物の変形例を示す説明図である。
【図１１】この実施形態２の変形例に係る珊瑚育成用構造物の変形例を示す説明図である。
【符号の説明】
【００５０】
１、１ａ、１ｂ、１ｃ  珊瑚育成用構造物
２  コンクリート層
３  被覆層
４  金属板
４ａ  第１金属板
４ｂ  第２金属板
８  珊瑚育成部
９  水流生成手段
２５  フィン
２６  水流発生手段
２７  通水路
４０  支持棒
４３ｆ  移植孔
【図１】
0004652206.tif 000002
【図２−１】
0004652206.tif 000003
【図２−２】
0004652206.tif 000004
【図２−３】
0004652206.tif 000005
【図３−１】
0004652206.tif 000006
【図３−２】
0004652206.tif 000007
【図４】
0004652206.tif 000008
【図５】
0004652206.tif 000009
【図６−１】
0004652206.tif 000010
【図６−２】
0004652206.tif 000011
【図７−１】
0004652206.tif 000012
【図７−２】
0004652206.tif 000013
【図８】
0004652206.tif 000014
【図９】
0004652206.tif 000015
【図１０】
0004652206.tif 000016
【図１１】
0004652206.tif 000017